(57)【要約】【課題】特殊なシーン、又は特殊な環境のために顔の表情の変化では起こりえないように変形した顔を含む画像を撮り逃すことなく撮影することができる撮影装置及び撮影方法を提供する。【解決手段】顔検出部４ａによって撮像部３により撮像された画像から顔画像が検出され、さらに特徴量検出部４ｂにより顔の表情による変化量が小さい陰影を有する特徴量が検出される。検出された特徴量に対して、変形判定部４ｄは顔の表情による変化量を超える所定条件以上に変形したか否かの判定を行い、所定以上に変形した判定結果の時の画像が記録部８に記録される。【選択図】図１
2011166446.tif 000002
【特許請求の範囲】
【請求項１】
被写体を撮像する撮像部と、
上記撮像部で撮像された画像から顔画像を検出する顔検出部と、
上記顔検出部で検出された顔画像を構成する画像部分から、顔の表情による変化量が小さい陰影を有する特徴量を検出するための検出部と、
上記検出部により検出された上記特徴量が上記表情による変化量を超える所定の条件以上に変形したか否かを判定する変形判定部と、
上記変形判定部により所定の条件以上に変形した判定結果の時の画像を撮影画像として記録する記録部と、
を具備することを特徴とする撮影装置。
【請求項２】
上記検出部は、上記特徴量として顔上方の外形の輪郭部を検出することを特徴とする請求項１に記載の撮影装置。
【請求項３】
上記検出部は、上記特徴量として、被写体の顔が略正面を向いた撮影状態における顔を構成する両目間の距離と、上記両目を結ぶラインから口までの距離との距離比を検出することを特徴とする請求項１に記載の撮影装置。
【請求項４】
上記変形判定部は、上記検出部により検出された上記輪郭部上の位置が、該輪郭部の内側と外側に設定した内側ライン及び外側ラインと、少なくともそれぞれ複数位置で交差する場合に、上記特徴量が所定の条件以上に変形したと判定することを特徴とする請求項２に記載の撮影装置。
【請求項５】
上記変形判定部は、上記輪郭部上の位置が、上記内側ライン及び外側ラインと、それぞれ３点以上の複数位置で交差する場合に、上記特徴量が所定の条件以上に変形したと判定することを特徴とする請求項４に記載の撮影装置。
【請求項６】
さらに、水中において泡を発生させる泡発生部と、上記画像中の泡を検出する泡検出部とを有し、
上記変形判定部は、上記特徴量が所定の条件以上に変形したか否かの判定の他に、上記顔画像中における上記泡検出部による泡の検出信号が所定のレベル以上か否かを判定し、上記記録部は、該検出信号が所定のレベル以上の判定結果の時の画像を上記撮影画像として記録することを特徴とする請求項２に記載の撮影装置。
【請求項７】
さらに、上記撮影装置が水中に沈められたことを検出するセンサを有し、該センサの検出信号により、上記撮像部によるピント合わせの被写体距離を補正することを特徴とする請求項２に記載の撮影装置。
【請求項８】
上記変形判定部は、該変形判定部が判定を行う前に取得した上記距離比を判定前距離比とし、上記距離比が該判定前距離比よりも小さい第１の閾値及び該判定前距離比よりも大きい第２の閾値との間の所定の範囲から逸脱するか否かを上記所定の条件に設定し、上記記録部は、上記距離比が上記所定の範囲から逸脱する判定結果の時の画像を記録することを特徴とする請求項３に記載の撮影装置。
【請求項９】
被写体を撮像する撮像ステップと、
上記撮像ステップで撮像された画像から顔画像を検出する顔検出ステップと、
上記顔検出ステップで検出された顔画像を構成する画像部分から、顔の表情による変化量が小さい陰影を有する特徴量を検出するための検出ステップと、
上記検出ステップにより検出された上記特徴量が上記表情による変化量を超える所定の条件以上に変形したか否かを判定する変形判定ステップと、
上記変形判定ステップにより所定の条件以上に変形した判定結果の時の画像を撮影画像として記録する記録ステップと、
を具備することを特徴とする撮影方法。
【発明の詳細な説明】
【技術分野】
【０００１】
本発明は、特殊なシーンでの撮影を行うための撮影装置及び撮影方法に関する。
【背景技術】
【０００２】
近年、様々な画像が身の回りに氾濫し、映画やドラマでも、単に実写の即したものではなく、ポスター、ＣＭなど広告やゲーム、アニメ、漫画などの作家が、実験的に試みていた手法などを活かし、非現実的な効果の画像で、特殊な効果を出したり、情感を醸し出したりして鑑賞者の感性に訴えている。  
このような特殊効果画像に慣れたユーザは、自らの撮影画像にも、様々な特殊効果を施しての撮影を楽しむようになった。  
そこで、デジタルカメラにおいて、デジタル画像ならではの処理を画像データに施して、デジタル的にアート調な画像処理機能を設けた商品も出ている。
【０００３】
しかし、そうした方法以外にも、特殊な画像として表示部により表示することの出来る特殊なシーンとなる場合があり、このような特殊なシーンでの特殊な被写体画像を撮影し易いカメラは、殆ど提案されていなかった。  
特開２００３−２２４７６１号公報においては、被写体の顔の状態によって撮影を行い、撮り逃しを防止することを開示している。
【発明の概要】
【発明が解決しようとする課題】
【０００４】
しかし、上記特開２００３−２２４７６１号公報の従来例は、特殊なシーンでの顔画像の変化などに対応した撮影を行うものではなかった。  
例えば、人の顔画像を被写体とした場合、通常のシーンでは変化し得ないように顔画像が特殊な形状に変化するような特殊なシーンがあり得る。  
このように、特殊なシーンでの特殊な形状に変形した顔画像等の被写体を撮り逃すことなく撮影することができると、撮影装置の楽しみ方も広がり、使用者の利便性も増大する。  
本発明は上述した点に鑑みてなされたもので、特殊なシーン、又は特殊な環境のために顔の表情の変化では起こりえないように変形した顔を含む画像を撮り逃すことなく撮影することができる撮影装置及び撮影方法を提供することを目的とする。
【課題を解決するための手段】
【０００５】
本発明の撮影装置は、被写体を撮像する撮像部と、
上記撮像部で得られた画像から顔画像を検出する顔検出部と、
上記顔検出部で検出された顔画像を構成する画像部分から、顔の表情による変化量が小さい陰影を有する特徴量を検出するための検出部と、
上記検出部により検出された上記特徴量が上記表情による変化量を超える所定の条件以上に変形したか否かを判定する変形判定部と、
上記変形判定部により所定の条件以上に変形した判定結果の時の画像を撮影画像として記録する記録部と、
を具備することを特徴とする。
【０００６】
本発明の撮影方法は、被写体を撮像する撮像ステップと、
上記撮像ステップで撮像された画像から顔画像を検出する顔検出ステップと、
上記顔検出ステップで検出された顔画像を構成する画像部分から、顔の表情による変化量が小さい陰影を有する特徴量を検出するための検出ステップと、
上記検出ステップにより検出された上記特徴量が上記表情による変化量を超える所定の条件以上に変形したか否かを判定する変形判定ステップと、
上記変形判定ステップにより所定の条件以上に変形した判定結果の時の画像を撮影画像として記録する記録ステップと、
を具備することを特徴とする。
【発明の効果】
【０００７】
本発明によれば、顔の表情の変化では起こりえないように変形した顔を含む画像を撮り逃すことなく撮影することができる。
【図面の簡単な説明】
【０００８】
【図１】図１は本発明の第１の実施形態のカメラの内部構成を示すブロック図。
【図２】図２はカメラの前面側を示す斜視図。
【図３Ａ】図３Ａは加速度検知部を構成する３つの加速度センサの配置を示す図。
【図３Ｂ】図３Ｂは本発明の第１の実施形態のカメラによる撮影方法の処理手順を示すフローチャート。
【図４Ａ】図４Ａは水上に設置したカメラから陸上側の人物を撮像する様子を示す図。
【図４Ｂ】図４Ａのカメラの撮影状態によって撮像した場合の画像を示す図。
【図４Ｃ】図４Ｃは水中に沈めたカメラから魚の目線により陸上（水上）の人物を撮像する様子を示す図。
【図４Ｄ】図４Ｄは図４Ｃのカメラの撮影状態によって撮像した場合の画像を示す図。
【図５Ａ】図５Ａは図４Ｃの撮影状態に対する動作説明図。
【図５Ｂ】図５Ｂは図５Ａの場合における波の屈折により被写体の顔の輪郭が縦方向に拡大される様子の説明図。
【図５Ｃ】図５Ｃは図５Ａの場合における波の屈折により被写体の顔の輪郭が縦方向に縮小される様子の説明図。
【図５Ｄ】図５Ｄはほぼ円形の顔が凹凸を有する形状の輪郭に変化した変形画像となった場合を示す説明図。
【図６】図６は第１の実施形態における変形画像を自動撮影する場合の処理手順を示すフローチャート。
【図７Ａ】図７Ａは図６におけるバランスの変化判定処理の処理手順を示すフローチャート。
【図７Ｂ】図７Ｂは図７Ａの処理の説明図。
【図７Ｃ】図７Ｃは検出されたラインに対して下限側ラインと上限側ラインを設定して変形画像の判定動作を行う場合の説明図。
【図７Ｄ】図７Ｄは図７Ｃとは異なるラインの場合の説明図。
【図７Ｅ】図７Ｅは図７ＡのステップＳ２５の判定処理のフローチャート。
【図７Ｆ】図７Ｆは図７Ａと一部が異なるバランスの変化判定処理の処理手順を示すフローチャート。
【図８Ａ】図８Ａは第１の実施形態の第１変化例における図４Ａに対応する状態での撮像部による動作説明図。
【図８Ｂ】図８Ｂは第１の実施形態の第１変化例における図４Ｂに対応する状態での撮像部による動作説明図。
【図９】図９は図８の第１変形例における変形画像を自動撮影する場合の処理手順を示すフローチャート。
【図１０】図１０は第１の実施形態の第２変形例のカメラの構成を示すブロック図。
【図１１Ａ】図１１Ａは図１０に対応したカメラを示す図。
【図１１Ｂ】図１１Ｂは図１１Ａのカメラを用いた撮影状態の説明図。
【図１１Ｃ】図１１Ｃは第２変形例のカメラにより撮影した撮影画像例を示す図。
【図１２】図１２は本発明の第２の実施形態のカメラの内部構成を示すブロック図。
【図１３】図１３は顔の向きの変化により変形する画像と、顔の向きにより変形し得ない画像とを示す説明図。
【図１４】図１４は、第２の実施形態におけるバランスの変化判定の処理手順を示すフローチャート。
【図１５Ａ】図１５Ａはユーザの顔を撮影する状態のカメラと顔の間に水が入ったコップを配置して変形画像を撮影する様子を示す図。
【図１５Ｂ】図１５Ｂは図１５Ａの撮影状態により撮影される変形画像を示す図。
【図１６】図１６は顔を構成する複数の要素の比率と顔の輪郭とによるバランスの変化を判定する処理手順を示すフローチャート。
【発明を実施するための形態】
【０００９】
以下、図面を参照して本発明の実施形態を説明する。  
（第１の実施形態）
図１に示す本発明の第１の実施形態の被写体を撮影する撮影装置としてのカメラ１は、図２に示すように箱型形状である。このカメラ１の外装体としての防水構造のケース２の前面の中央付近には、被写体を撮像する撮像部３のカバーガラス３ａが設けられている。  
図５Ａ等に示すようにカバーガラス３ａで保護されたその内側には、撮影レンズ３ｂが設けられており、この撮影レンズ３ｂの結像位置には、電荷結合素子等からなる撮像素子３ｃが配置されている。カバーガラス３ａ、撮影レンズ３ｂ及び撮像素子３ｃにより図１の撮像部３が形成される。この撮像部３により撮像された撮像信号は、図１に示す画像処理と、カメラ１各部の制御とを行う画像処理＆制御部４に入力される。
【００１０】
画像処理＆制御部４は、撮像素子３ｃの撮像信号に対する画像処理を行い、画像信号を生成して表示部５に出力し、表示部５は、画像信号の画像を表示する。この表示部５は、図４Ａ等に示すようにカメラ１の背面に設けられている。  
また、図２に示すようにケース２の上面における例えば右寄りの位置には、撮影の指示操作を行うレリーズボタン６ａが設けられている。レリーズボタン６ａを含む操作部６による指示操作は、操作判定部７により指示操作に対する判定が行われ、その判定結果は画像処理＆制御部４に出力される。  
画像処理＆制御部４は、指示操作の判定結果に対応した制御動作を行う。例えば、レリーズボタン６ａが操作されると、操作判定部７によるレリーズ（撮影指示）の操作の判定に基づいて、画像処理＆制御部４は、撮像部３により撮像された画像を圧縮する画像処理を行う。そして、画像処理＆制御部４は、圧縮した画像を撮影画像として図１の記録部８に記録する。
【００１１】
また、撮影レンズ３ｂは、ピント合わせ部９によって、被写体像が撮像素子３ｃの撮像面にピントが合った結像状態、つまりフォーカス状態に設定される。ピント合わせ部９は、撮影レンズ３ｂを、その光軸方向に移動し、撮像素子３ｃの撮像面に結像される被写体像のピントが合ったレンズ位置に設定する。なお、ピント合わせ部９は、画像処理＆制御部４によりその動作が制御される。  
また、画像処理＆制御部４は、レリーズ操作の際に、撮影すべき画像の明るさを判定し、その明るさの判定により、ストロボフラッシュ装置（ストロボと略記）１０の発光動作を制御する。  
つまり、レリーズ操作の際に、撮影すべき画像の明るさが、予め設定された閾値以下の暗いシーンの撮影状態であると判定した場合には、画像処理＆制御部４は、ストロボ１０を発光させて補助照明を行い、この補助照明により暗いシーンにおいても明るい撮影画像が得られるように制御を行う。
【００１２】
また、本実施形態においては、図１に示す操作部６には、後述する変形画像を簡単に撮影することができるように、変形画像を自動撮影する変形撮影モードの操作ボタン６ｂが設けてある。なお、この操作ボタン６ｂの機能を、メニュー操作の画面を用いて行うようにしても良い。勿論、マニュアル操作、つまりレリーズボタン６ａの操作により撮影することもできる。  
また、図２に示すようにカメラ前面には、警告部（又は告知部）１１が設けられており、この警告部１１により、撮影中であるか否かを被写体側から確認することができるようになっている。この警告部１１は、例えば発光ダイオード（ＬＥＤ）により形成され、画像処理＆制御部４は、撮影動作中において、このＬＥＤを点滅させる。被写体が人である場合には、このＬＥＤの点滅により撮影動作中であることを視覚的に確認することができる。
【００１３】
また、図１に示すようにカメラ１は、ケース２が水中に沈められているか否かを、光の吸収や電極間の抵抗等により検知する水中センサ１２と、カメラ１の撮影（撮像）状態の姿勢や移動方向等を検知する加速度検知部１３と、撮影時間等の記録、表示に使用するための時間の計測を行う時計部１４とを有する。  
加速度検知部１３は、例えば図３Ａに示すようにケース２における互いに直交する３方向の加速度を検知する加速度センサ１３ａ、１３ｂ、１３ｃにより構成される。加速度センサ１３ｉ（ｉ＝ａ〜ｃ）は、半導体基板上に形成した固定電極に対向して、特定方向に作用する加速度により移動可能な電極を配置し、移動可能な電極と固定電極との間の静電容量の変化により加速度が作用する方向を検知する。
【００１４】
図３Ａの例においては、Ｈ形状電極の中央部分の電極が移動可能な電極となる。加速度センサ１３ａ、１３ｂ、１３ｃは、図３Ａにおける水平方向（Ｘ方向）、垂直方向（Ｙ方向）、奥行き方向（Ｚ方向）に作用する加速度を検知する。なお、奥行き方向としてのＺ方向は、撮像部３の撮影レンズ３ｂの光軸方向と平行な方向となる。  
また、図１に示すように本実施形態における画像処理＆制御部４は、撮像部３により撮像された被写体の画像に対して、その画像中における顔の画像、つまり顔画像を検出する画像処理を行う顔検出部４ａと、検出された顔画像から、（顔の）表情による変化量が小さい（つまり顔の表情の変化では殆ど変化しないような）陰影を有する特徴量を検出する特徴量検出部４ｂとを有する。
【００１５】
この特徴量検出部４ｂは、顔画像から検出した特徴量から、上記特徴量として、顔の外形の上部の輪郭を検出する輪郭検出部４ｃを有する。  
また、画像処理＆制御部４は、特徴量検出部４ｂから顔の上部の輪郭等が予め設定された所定の条件以上に変形しているか否かを判定する変形判定部４ｄを有する。  
この変形判定部４ｄは、 顔画像における例えば顔の外形の輪郭としての略円形形状の一部の輪郭としての円弧ないしは弧（アーク）を判定する弧判定部４ｅと、判定された弧を有する顔画像が予め設定された、顔の表情による変化量を超える所定の条件以上に変形しているか否かの判定する距離比判定部４ｆとを有する。
【００１６】
また、画像処理＆制御部４は、撮像された画像が変形判定部４ｄにより、所定の条件以上に変形していると判定した場合には、撮影すべき変形画像としてこの画像を変形画像として記録部８に記録する。つまり、記録部８は、撮像された画像が撮影すべき程に変形した場合には、その変形画像を撮影画像として記録する。  
また、画像処理＆制御部４は、変形判定部４ｄにより、変形画像であるか否かの判定を適切に行うことができるように、判定用情報を記録する判定用情報記録部８ａを有する。  
この判定用情報記録部８ａは、例えば特徴量検出部４ｂで検出した特徴量でも良いし、或いは変形判定部４ｄによって、変形画像であるか否かをより簡単に判定し易いように特徴量に対応した判定用特徴量として、以下のような顔部陰影バランス（単にバランスという）の情報を記録しても良い。
【００１７】
例えば、特徴量から、顔の外形の輪郭を形成する円弧（又は弧）のサイズ、目、口、鼻等の陰影部の配置パターン、各陰影部の距離比等のバランスの情報を、判定用情報として記録するバランス（情報）記録部８ｂを含む。  
なお、この判定用情報は、輪郭のサイズ等をバランスの情報として数値化した場合、その数値に対して、変形画像として判定するための所定条件に対応する判定基準となる数値又は判定用ライン（のサイズ）を含むように設定される。  
この所定の条件に対応する数値又はラインは、顔の表情による変化量では起こりえないような数値又はラインが設定される。  
そして、変形判定部４ｄは、基本的には顔画像における例えば上部の輪郭のバランスが、所定の条件以上に変形した場合に変形画像と判定することができる。
【００１８】
このような判定用情報は、変形撮影を行う場合における少なくとも変形判定の開始前に判定用情報記録部８ａに記録、または変形撮影を行う前に予め判定用情報記録部８ａに記録しても良い。  
このように本実施形態の撮影装置としてのカメラ１は、被写体を撮像する撮像部３と、この撮像部３で撮像された画像から顔画像を検出する顔検出部４ａと、顔検出部４ａで検出された顔画像を構成する画像部分から、表情による変化量が小さい陰影を有する特徴量を検出する特徴量検出部４ｂと、特徴量検出部４ｂにより検出された上記特徴量が所定の条件以上に変形したか否かを判定する変形判定部４ｄと、変形判定部４ｄにより所定の条件以上に変形した判定結果の時の画像を撮影画像として記録する記録部８と、を具備することを特徴とする。
【００１９】
また、本実施形態のカメラ１による撮影方法は、図３Ｂに示すように被写体を撮像する撮像ステップＳ８１と、上記撮像ステップＳ８１で撮像された画像から顔画像を検出する顔検出ステップＳ８２と、上記顔検出ステップＳ８２で検出された顔画像を構成する画像部分から、顔の表情による変化量が小さい陰影を有する特徴量を検出するための特徴量検出ステップＳ８３とを具備する。  
また、本撮影方法は、上記特徴量検出ステップＳ８３により検出された上記特徴量が上記表情による変化量を超える所定の条件以上に変形したか否かを判定する変形判定ステップＳ８４と、上記変形判定ステップＳ８４により所定の条件以上に変形した判定結果の時の画像を撮影画像として記録する記録ステップＳ８５と、を具備することを特徴とする。なお、撮影方法のプログラムは、例えば記録部８又は図示しないＲＯＭ等のメモリその他の記録媒体に記録されている。
【００２０】
次に本実施形態により、水中から魚の目線で、陸上の人物を撮影する動作を説明する。  
本実施形態の防水構造のカメラ１は、水中から陸上を見た時の画像を簡単に撮影することが可能である。図４Ａは、陸上の撮影者（ユーザと略記）２０がカメラ１をユーザ２０の顔２１を、撮像視野（図４Ａでθで示す）に入れて撮像できるように設定した状態を示す。この設定状態においては、例えばカメラ１が、水槽２２の水面上に設定されている。  
図４Ａのようにカメラ１を設定した場合には、このカメラ１により撮影される画像は図４Ｂにように、通常の画像、つまり、陸上中（空気中）において変化していない状態の日常的に撮影することができる画像となる。
【００２１】
しかし、例えば図４Ａのカメラ１を図４Ａの矢印で示すように撮影レンズ３ｂの光軸方向（図３Ａで説明したＺ方向）に移動して、カメラ１全体を水中に沈め、図４Ｃに示すようにカメラ１を沈める際に水面に波２３が起こるようにする。  
このように波２３が発生させた状態で、撮影すると、図４Ｄに示すように、通常の被写体画像とは異なる被写体画像が得られる。なお、波２３の代わりに泡を立てる（後述）ようにしても良い。  
このように水面に波２３が発生し、この波２３によって撮影しようとする画像に揺らぎを与えることにより光線が乱れると、図４Ｄのように通常では得られない画像が得られる。
【００２２】
つまり、通常のシーンとは異なる特殊なシーンに設定すると、通常のシーンでは変化し得ないように変化した特殊な被写体画像の状態が発生し、その特殊なシーンにおいて撮影すると非日常的な特殊な変形画像を撮影することが可能になる。  
本実施形態のカメラ１は、このように、空気中の場合では得難い特殊な変形画像を撮影して楽しむことができる撮影装置を実現する。  
上記のような特殊なシーンは、時間的に変化してしまうため、従来例ではそのような特殊なシーンになった場合の変形画像を撮影することが困難であった。このため、上記のような特殊なシーンにおいて発生する特殊な変形画像になった状態を判定して撮影することができると、ユーザに対する操作性が大幅に向上する。
【００２３】
本実施形態のカメラ１は、このような特殊なシーンにおいて、通常では得られないような変形画像を簡単に得られる使い易い撮影装置を提供することを主な目的とする。  
換言すると、本実施形態のカメラ１は、デジタル的な画像処理によって変形画像を生成するのではなく、自然な状況において発生する特殊なシーンにおいての撮影により、顔画像を非日常的な変形画像として撮影することを容易にすることを主な目的とする。  
次に図４Ｄのような変形画像を撮影するために、その変形画像が発生する原理を説明する。  
図５Ａは図４Ｃにおけるカメラ１の撮像部３と、この撮像部３により撮影されるユーザ２０における模式化した顔部２１′を拡大して示す。
【００２４】
顔部２１′から水中に入る光線のあるもの（図５ＡのＬｇ１で示す光線）は、水面の波２３の影響を受けず、カメラ１の撮影レンズ３ｂを介して撮像素子３ｃに入射する。しかし、Ｌｇ２で示す光線は、波２３の影響を受けて（光線Ｌｇ１の場合よりは大きく）屈折し、本来なら顔部２１′の上部のＬｇ３の光線が入射すべき撮像素子３ｃの位置に、この光線が入射してしまうことになる。  
このため、図５Ｂに示す例えば光線Ｌｇ１のみで、顔部２１′を撮像した場合の画像３０ａを１点鎖線で示す略円形とすると、光線Ｌｇ２の場合には例えば中央から上部側部分が上方側に拡大された実線で示すような楕円形形状に伸びる画像３０ｂになる。図５Ｂ中においては、模式的に中央部分から上部側部分が上方に拡大された様子を矢印で示している。
【００２５】
光線Ｌｇ２の場合とは逆に、本来別の部分から入射されるべき光線が波２３のために顔部２１′の画像部分に入射してしまうことも起こり得る。この場合は、図５Ｃに示すように縮小された画像３０ｃになってしまう。  
例えば、顔中心からの距離を例にとって説明すると、顔中心から顔輪部（中心から伸ばした線と、この線に直交する濃淡（陰影）変化した輪郭部が判定しやすい）までの距離が図５Ｄに示すように例えばＲ１，Ｒ２，Ｒ３のように凸凹に変化した場合の画像３０ｄは、図４Ｄに示したような特徴を持つ十分に非日常的となる。  
このため、図５Ｄに示すように顔の中心からその顔輪郭部に至る複数の距離に対する判定結果が上記のように凹凸に変化することを判定基準して撮影するようにすれば、十分に非日常的となる撮影画像が得られる。
【００２６】
一方、単に、図５Ｂ、図５Ｃのようになっただけの判定結果から、撮影を行うと、顔部２１′が横を向いた時や、縦に肯いた時との差異を判定できない可能性がある。  
図５Ｂ，図５Ｃを排除して図５Ｄの場合を変形画像として判定できるような判定基準を用いると、変形画像を効率良く撮影することができる。このため、本実施形態においては、後述するように、図５Ｄにおける画像３０ａに対してその内側と外側に相似形の判定用ラインを設定し、画像３０Ｄが２つの判定用ラインと、例えばそれぞれ６点以上で交差するか否かの判定を、変形画像を判定するためのバランスの変化の判定に用いる。  
なお、以下の説明では主に半円の輪郭の場合に対して説明を行うので、上記６点の代わりに３点以上交差するか否かにより変形画像であるか否か（つまり、バランスの変化ありか否か）の判定を行う。
【００２７】
次に本実施形態の動作を図６を参照して説明する。  
ユーザ２０は、例えば図４Ａに示すような撮影状態に設定して、図１の変形撮影モードの操作ボタン６ｂを操作する。すると、画像処理＆制御部４は、図６のステップＳ１において変形画像を自動撮影する変形撮影モードが選択されたことを判定する。この変形撮影モードが選択されていないと、ステップＳ１の処理に戻る。  
変形撮影モードが選択された判定結果の後のステップＳ２において画像処理＆制御部４は、顔検出部４ａにより撮像部３で撮像した画像に対して顔検出を行う。そして、顔検出ができた場合には、画像処理＆制御部４は、次のステップＳ３において、検出した顔の画像から表情による変化量が小さい特徴量を検出するために顔部パーツ、顔部の輪郭等の陰影パターン等を検出する。
【００２８】
さらに画像処理＆制御部４は、陰影部相互の距離比を検出し、陰影パターンと、陰影部相互の距離比との情報を特徴量に相当するバランス（の情報）を生成する。なお、本実施形態においては、主に顔部の輪郭の情報をバランスの情報として用いる。  
そして、次のステップＳ４において画像処理＆制御部４は、陰影パターンや、距離比のバランスの情報を判定用情報として判定用情報記録部８ａに記録する。この場合の判定用情報として、上部の輪郭の弧の半径の値に対して、その半径より小さい下限値と、大きい上限値との距離比の数値や、弧に対して該弧の内側及び外側に相似形の判定用ラインを設定して、変形画像を判定するための所定の条件として記録される。
【００２９】
その後、次のステップＳ５において画像処理＆制御部４は、バランスの情報を記録済みであるか否かの判定を行い、記録済みでない場合にはステップＳ１の処理に戻り、記録済みの場合には、ステップＳ６に進む。  
このステップＳ６において画像処理＆制御部４は、カメラ1の前面に設けた警告部１１のＬＥＤを表示点滅させる。この表示点滅により、撮影動作中であり、顔２１とカメラ１の向きを維持した状態で、ユーザ２０が保持しているカメラ１を水中に沈めて行けば良い事をユーザ２０が視覚的に確認できるようにする。  
なお、ステップＳ２において顔検出ができない場合には、ステップＳ７において画像処理＆制御部４は、警告部１１のＬＥＤにより表示点滅を終了する（又は行わない）ようにする。
【００３０】
このように画像処理＆制御部４は、変形撮影の判定を行う前処理として図６のステップＳ１〜Ｓ７の処理を行い、顔画像における表情による変化量が小さい特徴量としてのバランスを抽出（生成）し、そのバランスの情報を記録する。  
その後、以下に説明するステップＳ８以降の処理により、以後に撮像した画像におけるバランスを時間的にモニタして、予め設定された所定の条件以上にバランスが変化（変形）した場合には、撮影すべき変形画像の状態であると判定して撮影することになる。  
ユーザ２０は、表示点滅を確認し、上述したようにカメラ１を光軸方向における顔２１から遠ざかる方向に移動しながら水中に沈めるように移動する。
【００３１】
このカメラ１の光軸方向に沿っての移動は、加速度検知部１３における加速度センサ１３ｃによって検知され、加速度センサ１３ｃは検知信号を画像処理＆制御部４に出力する。また、水中センサ１２は、カメラ１が水中に沈められる際に、検知信号を画像処理＆制御部４に出力する。  
ステップＳ８において画像処理＆制御部４は、加速度センサ１３ｃの検知信号の出力を参照する等して、ステップＳ４において画像処理＆制御部４は、ステップＳ３，Ｓ４で取得したバランスが変化しているかモニタを開始する。  
そして、次のステップＳ９において画像処理＆制御部４は、バランスが所定の条件以上に変化（又は変形）しているか否かの判定を行う。画像処理＆制御部４は、バランスが所定の条件以上に変化していない判定結果の場合には、画像処理＆制御部４は、ステップＳ１の処理に戻る。
【００３２】
画像処理＆制御部４は、バランスが所定の条件以上に変形していると判定した場合には、次のステップＳ１０に示すように、バランスが変化していると判定した時の画像を撮影する。  
つまり、画像処理＆制御部４は、そのタイミングの画像を変形画像として記録部８に記録するように制御する。また、画像処理＆制御部４は、この撮影（画像記録）の処理動作と共に、変形撮影モードの終了の表示を行うように制御する。この表示は、短い時間、例えば１秒点灯して、この点灯によってユーザ２０に告知される。  
次に図６のステップＳ９のバランスの変化の判定処理を図７Ａを参照して説明する。
【００３３】
ステップＳ２１に示すように画像処理＆制御部４は、顔検出部４ａにより検出された顔画像における顔部の中心を判定する。図７Ｂは検出された正面を向いた顔部４１における判定された中心４２を概略的に示す。また、次のステップＳ２２において画像処理＆制御部４は、顔部４１における大きさ（サイズ）を判定する。  
また、次のステップＳ２３において画像処理＆制御部４は、顔画像上部において、中心４２から顔半径相当位置で、その顔半径ｒに沿った弧のラインを上部の輪郭として判定する。図７Ｂにおいては、判定された弧のラインＬを太線で示す。なお、弧のラインは、顔半径ｒに近い値であれば良く、長円形のラインでも良い。  
次のステップＳ２４において画像処理＆制御部４は、弧のラインＬが有るか否かの判定を行う。この弧のラインＬが有る判定結果の場合には次のステップＳ２５において画像処理＆制御部４は、この弧のラインＬ上における位置と中心４２とから、弧のライン上の位置が所定の条件以上に変形しているか否かの判定によりバランスの変化を判定する。このステップＳ２５の処理後、画像処理＆制御部４は、図６の処理に戻る。
【００３４】
なお、ステップＳ２４の判定処理において、弧のラインＬが無い判定結果の場合には、ステップＳ２６において画像処理＆制御部４は、顔画像下部において、ステップＳ２３と同様に、中心４２から顔半径相当位置で、顔半径ｒに沿った弧のラインを判定する。その後、画像処理＆制御部４は、ステップＳ２５の処理に移る。  
ステップＳ２５の処理は、ステップＳ２４において画像処理＆制御部４がラインＬを判定した場合には顔画像の上部の輪郭に相当する弧（上側の弧）を優先するようにして行われ、このラインＬを判定できない場合には顔画像の下部の輪郭に相当する弧（下側の弧）に対して行われる。  
この理由は、上部の輪郭（略半円）は表情により殆ど変化しないのに対して、下部の輪郭は、上部の輪郭に比較すると表情の変化により若干影響されるためである。なお、背景によっては、上部の輪郭が識別し難い場合もあり得るので、その場合には、下部の輪郭に対応する弧のラインＬで判定を行う。
【００３５】
ステップＳ２５の弧のラインＬ上の位置が所定範囲以上に変化しているか否かの判定処理を図７Ｃの説明図及び図７Ｄのフローチャートを参照して説明する。  
図７Ｃは、図７Ｂにおいて示した弧のラインＬと、このラインＬに対して設定された所定範囲に対応する判定用ラインとしての下限側ラインＬｌ及び上限側ラインＬｕを示す。  
画像処理＆制御部４の変形判定部４ｄを形成する距離比判定部４ｆは、バランスの変化のモニタを開始後に、ラインＬ上の位置が下限側ラインＬｌの内側位置と、上限側ラインＬｕの外側位置と交差する状態がそれぞれ３点以上となる場合を、バランスが変化（変形）した変形画像と判定する。
【００３６】
図７Ｃの例では、ラインＬが波２３等のために例えば１点鎖線で示すように変形した場合、ラインＬ上の位置は、点Ｐ１，Ｐ４，Ｐ５，Ｐ８において下限側ラインＬｌと交差し、点Ｐ２，Ｐ３，Ｐ６，Ｐ７において上限側ラインＬｕと交差している。この図７Ｃの例では、ラインＬ上の位置が下限側ラインＬｌ及び上限側ラインＬｕと４点で交差しているので、変形画像と判定される（領域Ａ１，Ａ２，Ａ３に関しては後述）。   
なお、ラインＬ（上の位置）が、それぞれ３点で交差する場合を図７Ｄの実線にて示す。この場合には、ラインＬは、点Ｐ１，Ｐ４，Ｐ５において下限側ラインＬｌと交差し、かつ、点Ｐ２，Ｐ３，Ｐ６において上限側ラインＬｕと交差している。
【００３７】
一方、図７Ｄにおいて２点鎖線は、ラインＬが２点で交差する場合を示す。この場合には、ラインＬは、点Ｐ２′，Ｐ３′において下限側ラインＬｌと交差し、点Ｐ１′，Ｐ４′において上限側ラインＬｕと交差している。この場合には、図５Ｂ，図５Ｃで説明した理由から変形画像と判定しないようにしている。  
このような判定を行うため、図７Ｅにおける最初のステップＳ３１において画像処理＆制御部４は、検出された弧のラインＬに対して下限側ラインＬｌ及び上限側ラインＬｕの設定を行う。  
なお、この場合、検出された弧のラインＬに対してその内側及び外側に、例えば中心からラインＬまでの距離を１に規格化した場合、距離比が所定値Ｃｌ，ＣｕとなるラインＬに相似形の下限側ラインＬｌ及び上限側ラインＬｕの設定を行う。この場合、例えば０．８＜Ｃｌ＜１、１＜Ｃｕ＜１．２程度に設定することができる。
【００３８】
次のステップＳ３２において画像処理＆制御部４は、検出された弧のラインＬに対して下限側ラインＬｌ及び上限側ラインＬｕと交差する点がそれぞれ３点以上存在するか否かの判定を行う。  
画像処理＆制御部４は、３点以上存在する場合には、ステップＳ３３に示すように変形画像と判定し図６のステップＳ１０に進み、逆に３点未満、つまり２点以下となる場合にはステップＳ３４に示すように変形画像でないと判定し、図６のステップＳ１に戻る。  
なお、上記下限側ラインＬｌ及び上限側ラインＬｕの設定を行う場合、顔画像の上部側のラインＬの場合と、顔画像の下部側のラインＬの場合とで異なる距離比に設定しても良い。
【００３９】
顔画像の上部側のラインＬは、表情により変形が非常に小さいのに比較すると、顔画像の下部側のラインＬは、表情により変形がやや大きくなると考えられる。このため、顔画像の下部側のラインＬを用いて変形画像であるか否かを判定する場合、上部側のラインＬを使った場合に比較して、所定値Ｃｌをより小さく、かつ所定値Ｃｕをより大きく設定するようにしても良い。  
また、上述した場合の上部側のラインＬと下部側のラインＬとを纏めて１つの円弧ライン又は閉ラインを設定し、その円弧ラインに対して下限側ラインＬｌと上限側ラインＬｕとを設定して、両下限側ラインＬｌ及び上限側ラインＬｕとの交差数から変形画像であるか否かの判定を行うようにしても良い。この場合には、上述したように交差数が６以上の場合を変形画像であると判定するようにすれば良い。
【００４０】
また、図７Ａにおける他の変形例として、ステップＳ２４以降の処理を図７Ｆのように変形した処理を行うようにしても良い。  
図７ＦはステップＳ２４の判定処理までは図７Ａと同じである。このステップＳ２４において、ラインＬ有りと判定した場合にはステップＳ２５′に進む。ステップＳ２５′において、画像処理＆制御部４は、弧のラインＬ上の位置と弧の中心とが予め設定した距離比以上に変化したか否かに応じてバランス変化の有無を判定する。  
一方、ステップＳ２４において、ラインＬが無い判定の場合には、ステップＳ２６′に示すように、画像処理＆制御部４は、口のライン、目のラインの弧を判定し、その後、ステップＳ２５′の処理に移る。
【００４１】
そして、ステップＳ２５′において弧の位置と弧の中心との数値が、所定の条件以上に変化したか否かによりバランスの変化ありか否かの判定、つまり変形画像とするか否かの判定を行う。  
画像処理＆制御部４は、ステップＳ２５′の処理を行う場合、上述したステップＳ２５の処理の場合と同様に、ラインＬを判定できた場合を優先して行う。  ラインＬを判定できない場合には、下部の輪郭を用いることなく、顔部パーツとしての口と目との情報を用いてバランスの変化の判定を行う。  
このように動作する本実施形態によれば、カメラ１が水中に沈められて、波２３などによって特殊なシーン、又は特殊な環境のために顔の表情の変化では起こり得ないように変形した顔の画像を撮り逃すことなく撮影することができる。
【００４２】
具体的には、被写体としての顔の輪郭等が、波２３により、例えば図５Ｄに示すように大きく変形する特殊なシーンの状態になった時、変形判定部４ｄにより顔の輪郭が所定の条件以上に変形した変形画像の画像と判定し、その時の画像を撮り逃すことなく撮影して、記録部８に記録することができる。  
このように本実施形態のカメラ１によれば魚の視点から、陸上にいる人間の顔を撮影することが可能であると共に、水面に波２３が発生して顔画像が歪むようなシーンになると、そのシーンの時の画像を簡単に記録することができる。  
なお、上述においては、変形判定部４ｄは、顔の輪郭が、表情による変形量を超えるように設定された所定の条件を超えるか否かを判定する例で説明したが、パターンマッチグにより表情による変形量を超える程に変形している変形画像であるか否かの判定を行うようにしても良い。
【００４３】
具体的には、変形判定部４ｄによる判定を行う前の顔の特徴量の陰影パターンを判定用パターンとして判定用情報記録部８ａに記録する。この記録の後に、実際に検出される陰影パターンと判定用パターンとパターンマッチグ処理により、両パターンのマッチングの程度（相関量の大きさ）を評価する。  
そして、表情による変化量を超える相関量の閾値以下の小さな相関量に低下した場合に、撮影すべき変形画像であると判定するようにしても良い。
【００４４】
次に本実施形態の第１変形例を図８Ａ、図８Ｂを参照して説明する。上述したように水中に沈めて使用するカメラ１は、なるべく単純な構造が望ましく、複雑な構造にすると水圧に対する耐性が低下しやすくなる。本実施形態においては、被写体像を表示する表示部５がカメラ１の背面にあるシンプルな構成にしている。  
このような構造のカメラにおいては、ユーザ２０は、撮影方向から撮影状況を確認できなくなるので、図４Ａ〜図４Ｄで説明したような撮影を可能にするために、図８Ａ及び図８Ｂのようにすると良い。なお、図８Ａ及び図８Ｂは、図４Ａ及び図４Ｂに対応するカメラ１が水上にある状態と、水中に沈められた状態をより詳細に示す。
【００４５】
図８Ａに示すような状態において、カメラ１で顔２１′を撮像した顔を検出し、ユーザ２０に顔が検出された旨を伝え、それを知ったユーザ２０がカメラ１を少しずつ離して行く。  
そして図８Ｂのような状態で、カメラ１が水中に入った時に顔の中心位置がずれておらず、輪郭が変形すれば撮影を行うようにする。また、顔の追尾技術を利用して、顔が真ん中にくるようなトリミング撮影を行ってもよい。  
これによって、失敗の少ない変形画像の撮影が可能となる。また、水中では画像が揺らぐので、正確なピント合わせは出来ないので、カメラ１が水中に入る直前のピント合わせ結果を採用したり、図８Ｂの点線で示すように撮影レンズ３ｂを実線で示す状態から少しピント合わせ位置を遠距離側にシフトさせたりして、ピント合わせが大きくずれるような失敗を防止するようにしても良い。
【００４６】
なお、図８Ｂにおいて、上述した撮影レンズ３ｂのシフトにより、実線で示す撮影レンズ３ｂによるピント合わせの状態は、点線で示すようなピント合わせの状態になる。図９は、第１変形例の場合の変形撮影の処理手順を示す。最初のステップＳ４１において画像処理＆制御部４は、図６のステップＳ１と同様に変形撮影モードであるか否かの判定を行う。次のステップＳ４２において画像処理＆制御部４は、カメラ１の撮影方向が略上向きに設定されているか否かの判定を行う。  
画像処理＆制御部４によるこの判定は、加速度検知部１３の検知出力に基づいて判断する。略上向きに設定されていない判定結果の場合には、ステップＳ４１の処理に戻る。
【００４７】
一方、略上向きに設定された判定結果の場合には、次のステップＳ４３において画像処理＆制御部４は、図６のステップＳ２と同様に顔検出を行い、顔検出ができたか否かの判定を行う。顔検出ができない場合には、ステップＳ５３において画像処理＆制御部４は、図６のステップＳ７と同様に表示点滅を終了する。  
顔検出ができた場合には、次のステップＳ４４において画像処理＆制御部４は、ピント合わせを開始する。次のステップＳ４５において画像処理＆制御部４は、図６のステップＳ３、Ｓ４と同様に顔部の陰影パターン、距離比のバランス検出、記録を行う。  
次のステップＳ４６において画像処理＆制御部４は、図６のステップＳ５と同様に記録済みか否かの判定を行う。
【００４８】
次のステップＳ４７において画像処理＆制御部４は、図６のステップＳ６と同様に表示点滅してユーザ２０に水中側に移動しても良い撮影状態であることを告知する。  
また、次のステップＳ４８において画像処理＆制御部４は、加速度センサ１３ｃの検知出力を参照して、カメラ１がＺ方向に移動されるのを待つ。上述したようにユーザ２０は、カメラ１を水中に沈めるように移動する。  
ステップＳ４８の次のステップＳ４９において画像処理＆制御部４は、図６のステップＳ８と同様にバランスの変化をモニタする。次のステップＳ５０において画像処理＆制御部４は、さらにステップＳ９と同様にバランスが変化したかの判定を行う。バランスの変化が無い判定結果の場合にはステップＳ４１の処理に戻る。
【００４９】
一方、バランスの変化があった判定結果の場合にはステップＳ５１において画像処理＆制御部４は、ピント合わせ部９によるピント合わせを補正するピント補正の制御を行う。  
ピント合わせは、空気中の屈折率のもとで設定されており、バランスの変化が発生するような水中では、精度の高いピント合わせが困難であるので、このステップＳ５１において予め設定されたピント補正を行う。  
具体的には、図８Ａ、図８Ｂで説明したようにステップＳ４４から開始していたピント合わせの結果に対して、所定距離（水中にカメラ１が入った分の５ｃｍ〜１０ｃｍ程度）を、被写体距離として追加するようなピント補正を行う。
【００５０】
この場合、水の屈折率を考慮して、ピト合わせの補正量を、上記の所定距離における下限値としての５ｃｍ程度のように小さめの補正を行うようにしても良い。  
ピント補正を行った後のステップＳ５２において画像処理＆制御部４は、撮影を行うと共に、変形撮影の撮影が終了した旨の終了表示を行う。そして、この変形撮影の動作を終了する。  
なお、上記のようにカメラ１が水中に入った状態でもピント合わせを保持する代わりに、水中センサ１２によって、カメラ１が水中に入ったと検知されたタイミングでピント合わせを中断して、この中断前のピント合わせ位置を保持しても良い。  
本変形例によれば、ピント合わせがより良好な状態での変形画像の撮影ができる。その他は第１の実施形態と同様の効果を有する。
【００５１】
次に本発明の第１の実施形態の第２変形例を説明する。図１０は第２変形例のカメラ１Ｂの構成をブロック図で示す。  
このカメラ１Ｂは図１のカメラ１において、さらに空気を収納して小さな開口からカメラ１の外部に泡を発生する泡発生部５１を有すると共に、画像処理＆制御部４がさらに撮像部３により撮像した画像から泡の画像部分を検出する泡検出部４ｇを有する。  
この泡検出部４ｇにより検出された泡の情報により変形判定部４ｄは、検出された泡の情報を考慮して変形画像であるか否かの判定を行う。  
この場合、変形判定部４ｄは、泡検出部４ｇが泡５２を検出した出力の場合には、変形画像の判定用情報としての判定基準を、泡５２を検出しない場合に比較してその判定基準を低減することができるように、例えば操作部６には、判定基準を変更設定する判定基準設定部６ｃが設けてある。
【００５２】
例えば、変形画像の判定基準となる上述した距離比の所定値Ｃｌ，Ｃｕを例えばＣｌ＝１−Δ、ＣＵ＝１＋Δと表した場合、判定基準の範囲を、例えばΔ＝０．０１〜０．１程度に設定する。  
従って、この撮影モードの場合には、顔の変形が小さい場合においても泡５２が検出された場合には、変形画像として撮影する。なお、Δ＝０に設定して泡５２がある場合には、顔の画像が変形していない場合にも、泡５２が顔の画像を変形すると見なして変形画像として撮影できるようにしても良い。この場合には、変形判定部４ｄは、顔検出部４ａの出力信号と、泡検出部４ｇの出力信号により、変形画像の判定を行うことになる。  
図１１Ａは、泡発生部５１を備えたこのカメラ１Ｂの正面側の構成を示す。本変形例のカメラ１Ｂは、図２のカメラ１において、例えば撮像部３の下の位置に泡発生部５１の開口５１ａを開閉自在に閉塞する蓋５１ｂが設けてある。
【００５３】
この蓋５１ｂが移動すると、空気を収納する泡発生器５１の開口５１ａから泡が発生する。また、このカメラ１Ｂの前面には、ユーザ２０が、カメラ１に入射されるユーザ２０の撮像状態の様子を確認し易くするミラー５５が設けられている。  
図１１Ｂは、蓋５１ｂを開けて、泡発生器５１の開口５１ａから泡５２を発生させて撮像部３により撮影を行う様子を示している。この図１１Ｂは図８Ｂの状態において、泡発生器５１により泡５２を発生させている状態をに対応する。  
なお、この撮影モードの場合には、ストロボ１０を発光させない方が良い。ストロボ１０を発光させると、水面で反射して、その反射光が撮影を妨げるように作用する可能性が高くなるためである。
【００５４】
この撮影モードにおいても、顔が中心なので、露出は顔に合わせるようにする。また、この撮影モードの場合には、上記のように変形判定部４ｄにおける変形画像の判定基準が緩和されるため、顔検出部４ａにより顔検出ができた場合、泡検出部４ｇにより泡を検出した場合には、、顔の変形量が少ない場合においても撮影を行う。なお、泡検出の出力レベルを、変形画像と判定する判定基準に設定しても良い。つまり、泡検出部４ｇによる検出信号の出力レベルが予め設定した所定レベル以上の場合には、変形判定部４ｄは、変形画像と判定するようにしても良い。  
図１１Ｃは、本撮影モードでの撮影画像の例を示す。この撮影画像は、図４Ａに示した撮影画像からの変形が少ない状態であるが、泡検出部４ｇにより泡５２が検出されて、この撮影画像中に泡画像５２ａ部分が存在している。このように顔自体の変形は少ないが泡画像５２ａが存在するため、変形画像として撮影することができる。
【００５５】
勿論、泡５２により、撮像素子３ｃに入射する光が影響されて、顔が大きく変形した変形画像を撮影（記録）することもできる。  
本変形例によれば、泡５２による影響により顔が変形したような特殊なシーンの場合にも、変形画像として撮影することができる。その他、第１の実施の形態と同様の効果を有する。なお、より変形量が大きい変形画像を撮影するために、上述したΔの値をより大きく設定しても良い。  
なお、図７ＥのステップＳ３２においてはラインＬ上の位置が下限側ラインＬｌ及び上限側ラインＬｕとそれぞれ３点以上で交差するか否かによりバランスが変化、つまり変形画像であるか否かの判定を行うようにしていたが、以下のような判定を行うようにしてもも良い。
【００５６】
例えば図７Ｃの斜線で示すようにラインＬ上の位置が上限側ラインＬｕの外側となる領域Ａ１と，下限側ラインＬｌの内側となる領域Ａ２と、上限側ラインＬｕの外側となる領域Ａ３との３つの凸凹凸が形成される場合に、変形画像であると判定しても良い。また、図示しない３つの凹凸凹が形成された場合にも、同様に変形画像であると判定しても良い。なお上部の輪郭の場合に限らず、下部の輪郭の場合にも適用しても良い。また、上部と下部を含む閉弧としての略円弧の輪郭の場合にも適用しても良い。この場合には、例えば５個以上の凹凸が形成される場合に変形画像であると判定しても良い。
【００５７】
（第２の実施形態）
次に本発明の第２の実施形態を説明する。上述した実施形態においては、水中で撮影する場合に関して変形画像を撮影する場合で説明した。本実施形態は、水中の場合に限定されるものでなく、陸上においても、通常の平面鏡とは異なる反射特性を有する反射面により顔が変形する場合や、特殊なレンズ機能として作用する日用品その他により顔が変形する場合に対しても適用することができる。  
図１２は本発明の第２の実施形態のカメラ１Ｃの構成を示す。このカメラ１Ｃは、図１のカメラ１において、判定用情報記録部８ａは、さらにカメラ１Ｃを使用するユーザ２０の顔の、表情による変形量が小さい顔パターン特徴量を記録した顔パターン特徴量記録部８ｃを有する。
【００５８】
変形判定部４ｄは、この顔パターン特徴量記録部８ｃに記録された顔パターン特徴量を参照して、この顔パターン特徴量が所定の条件以上に変形した場合には、変形画像として撮影を行う。  
上述した第１の形態においては、変形判定部４ｄを構成する距離比判定部４ｆは、顔の輪郭に対する距離比の情報を用いて変形画像であるか否かの判定を行った。  
これに対して、本実施形態は、顔を形成するパーツの距離比の情報を判定基準に用いて変形画像であるか否かの判定を行う。この説明を図１３を参照して説明する。図１３（Ａ）〜（Ｅ）は、顔の概略図を示す。この場合、図１３（Ａ）は正面を向いた状態の顔を示す。図１３（Ｂ）は図１３（Ａ）の状態から水平方向に傾いた方向を見た状態、図１３（Ｃ）は図１３（Ａ）の状態から上下方向に傾いた方向（下に傾いた方向）を見た状態を示す。
【００５９】
従って、図１３（Ａ）のような顔の場合、カメラ１Ｃにより顔を撮影する角度により、撮影対象の顔は、図１３（Ｂ）、図１３（Ｃ）のように変化するが、図１３（Ｄ）、図１３（Ｅ）のような顔は、光学的な変形が起こらないと起こり得ない。  
つまり、撮影する場合の顔の傾き角度や表情によって変化せず、特殊な反射、特殊なレンズ作用等で生じうる変形画像例として、図１３（Ｄ）、図１３（Ｅ）のようになる場合がある。  
顔全体が正面向きで、鼻筋が顔の中心にあって、図１３（Ｄ）のように、目と口との距離（間隔）Ｄ１が図１３（Ａ）の場合と同じでも、両目の幅Ｗ２が図１３（Ａ）の場合の幅Ｗ１よりも狭まる場合、又は図１３（Ｅ）のように、左右の目の距離Ｗ１が図１３（Ａ）の場合と同じでも、口と目の距離Ｗ２が狭まる時などのパターンが想定できる。
【００６０】
このように、複数の顔パーツとの相対位置関係が通常の場合から、表情による変形量を超える程に変形した場合には、特殊なシーンの状態であると判定して撮影するように制御を行えば、通常の撮影画像とは異なる変形画像を撮影することができる。  
図１３（Ｄ）、図１３（Ｅ）のような変形画像を判定するためには、例えば図６におけるステップＳ９のバランスの変化の判定処理として、図１４Ａのようなフローチャートで顔のパーツのバランスを数値化してバランスの変化を判定すればよい。  
最初のステップＳ６１において画像処理＆制御部４は、顔の上下の判定を行う。また、次のステップＳ６２において画像処理＆制御部４は、顔における顔パーツとしての鼻筋位置を判定する。
【００６１】
次のステップＳ６３において画像処理＆制御部４は、顔が正面方向であるか否かの判定を行う。つまり、撮像されて表示部５で表示される顔画像がカメラ１Ｃの光軸方向を向いた図１３（Ａ）に示すような正面の方向（向き）の画像状態であるか否かの判定を行う。  
顔が正面方向を向いていると判定できた場合には、次のステップＳ６４において画像処理＆制御部４は、両目間の距離（幅）Ｗと、両目の中心（又は両目を結ぶライン）と口までの距離Ｄとの比率（の数値）Ｗ／Ｄを算出する。  
そして、次のステップＳ６５において画像処理＆制御部４の距離比判定部４ｆは、この比率Ｗ／Ｄが所定の範囲内、具体的には下限側の閾値，上限側閾値をそれぞれＴｌ，ＴｕとするとＴｌ＜Ｗ／Ｄ＜Ｔｕの条件を満たすかか否かの判定を行う。
【００６２】
そして、算出された比率Ｗ／Ｄが、この条件を満たさない場合にはステップＳ６６において画像処理＆制御部４は、変形画像と判定し、逆にこの条件を満たす場合にはステップＳ６７において画像処理＆制御部４は変形画像でないと判定する。そして、図６のステップＳ９の判定結果に対応した処理に移る。
【００６３】
一方、上記ステップＳ６３において画像処理＆制御部４が顔が正面方向であるとの判定ができない場合にはステップＳ６８において画像処理＆制御部４は、判定不能を例えば表示部５で表示して、図６の最初のステップＳ１の処理に戻る。この場合、ユーザ２０は、その表示から、顔がカメラ１Ｃの正面を向くように調整して撮影を行うようにすれば良い。  
なお、上述したバランスの変化前に算出した比率Ｗ／Ｄを規格化して１に設定しても良い。この場合には、ステップＳ６５の判定は、Ｔ１′＜Ｗ／Ｄ＜Ｔｕ′のようになる。ここで、Ｔ１′、Ｔｕ′は、それぞれＴ１′＜１、１＜Ｔｕ′となる。  
また、この場合、Ｔ１′、Ｔｕ′の値をユーザ２０が可変設定できるようにしても良い。勿論、比率Ｗ／Ｄを規格化しない状態において、閾値Ｔ１、Ｔｕの値をユーザ２０が可変設定できるようにしても良い。
【００６４】
図１４のフローチャートのバランスの変化の判定によって、図１３（Ａ）のような顔が図１３（Ｄ）、又は図１３（Ｅ）のように変形した場合には、変形画像と判定して撮影することができる。  
また、本実施形態によれば、図１５Ａのような場合にも変形画像として撮影することができる。なお、図１４におけるステップＳ６３の判定処理を行うことなく、ステップＳ６４の処理を行うようにしても良い。  
図１５Ａは、本実施形態による変形画像を撮影する１例を示す。本実施形態のカメラ１Ｃにより変形撮影モードを利用してユーザ２０は、顔２１とカメラ１Ｃの間に水６１の入ったコップ６２などを挿入することによって、変形判定部４ｄは、予め記録された顔の画像が変形した変形画像であると判定する。そして、この場合には図１５Ｂに示すようは撮影画像が得られる。
【００６５】
このように本実施形態によれば、図１５Ａに示しような陸上における特殊なシーン、特殊な環境シーンにおいて変形画像として撮影することができる。また、この他に、表面が平面でない金属や鏡のように反射機能を有する円柱などに、自分の顔が写っているのを、たまたま見かけたりすると、顔全体や顔のパーツが変形していて面白く、興味をそそられることは多い。そのような特殊なシーンの場合、本実施形態によれば、容易に撮影することができる。  
なお、本実施形態においては、陸上において特殊なシーンの撮影状態に設定された場合、変形画像として撮影を行うことができるが、本実施形態における例えば図１４に示したバランスの変化判定方法に従って水中にカメラ１Ｃを沈めたような場合、つまり第１の実施形態のような撮影シーンに適用しても良い。
【００６６】
また、第１の実施形態で説明した顔の輪郭のバランスの変化判定方法を陸上の撮影シーンに適用しても良い。  
また、第１の実施形態で説明した顔の輪郭のバランスの情報と、第２の実施形態の顔を構成する顔パーツ（顔構成要素）としての両目間の距離Ｗと、両目（の中心）から口までの距離Ｄとの距離比Ｗ／Ｄとの情報を用いて、バランスの変化の判定、つまり変形画像として撮影するか否かの判定を行うようにしても良い。  
例えば、第１の実施形態においては、図７Ｄ及び図７Ｅにおいては、ラインＬ上の位置が下限側ラインＬｌと上限側ラインＬｕと夫々３点以上交差している場合に、バランスの変化があり、変形画像と判定すると説明した。
【００６７】
そして、ラインＬ上の位置が下限側ラインＬｌと上限側ラインＬｕと夫々２点交差している場合に、バランスの変化がない変形画像でないと判定すると説明したが、この場合においても距離比Ｗ／Ｄに変化があれば、変形画像であると判定することもできる。  
このように両方の判定用情報を組み合わせることによって、一方のみでは判定し難い場合にも、有効に判定することができる。  
図１６は両方の判定用情報を利用したバランスの変化判定処理の概略を示す。最初のステップＳ７１において画像処理＆制御部４は、図１４におけるステップＳ６１〜Ｓ６３の処理を経てステップＳ６４のように顔パーツ（具体的には両目と、口）の比率Ｗ／Ｄを算出する。
【００６８】
次のステップＳ７２において画像処理＆制御部４は、図１４のステップＳ６５の処理に相当するＴｌ＜Ｗ／Ｄ＜Ｔｕの条件を満たすかか否かの判定を行う。この条件を満たさない場合にはステップＳ７３において画像処理＆制御部４は、図１４のステップＳ６６の処理のように変形画像であると判定する。  
一方、この条件を満たす場合には、図１４においては変形画像でないと判定したが、図１６においてはステップＳ７４に示すように顔の上部輪郭又は下部輪郭のラインの変化をモニタする。そして、ステップＳ７５において画像処理＆制御部４はこのラインが下限側ラインＬｌと上限側ラインＬｕと交差する程変化しているか否かを判定する。
【００６９】
交差している場合には、ステップＳ７３において画像処理＆制御部４は変形画像であると判定する。つまり、ステップＳ７２において変形画像でないと判定された場合にも、輪郭のラインＬが表情による変化量を超えて変形している場合には、通常の撮影シーンではなく、特殊な撮影シーンと判定、つまり撮影すべき変形画像と判定する。  
一方、交差していない場合にはステップＳ７６において画像処理＆制御部４は、変形画像でないと判定する。そして、図６のステップＳ９の次の処理に移る。  
図１６に示すようなバランスの変化判定を行うことにより、上記のように一方のみの判定用情報では判定し難い場合にも、有効に判定することができる。
【００７０】
なお、両方の判定用情報を利用することにより、一方の判定用情報による所定の条件としての判定用条件をより緩和した条件に設定してバランスの変化の判定を行うようにしても良い。  
また、上述した実施形態などを部分的に組み合わせる等して構成される実施形態も本発明い属する。
【符号の説明】
【００７１】
１…カメラ、３…撮像部、３ｂ…撮影レンズ、３ｃ…撮像素子、４…画像処理＆制御部、４ａ…顔検知部、４ｂ…変形判定部、４ｃ…弧判定部、４ｄ…距離比判定部、５…表示部、６…操作部、７…操作判定部、８…記録部、８ａ…判定用情報記録部、８ｂ…バランス記録部、９…ピント合わせ部、１２…水中センサ、１３…加速度検知部、２０…ユーザ、２１…顔、５１…泡発生部
【先行技術文献】
【特許文献】
【００７２】
【特許文献１】特開２００３−２２４７６１号公報
【図１】
2011166446.tif 000003
【図２】
2011166446.tif 000004
【図３Ａ】
2011166446.tif 000005
【図３Ｂ】
2011166446.tif 000006
【図４Ａ】
2011166446.tif 000007
【図４Ｂ】
2011166446.tif 000008
【図４Ｃ】
2011166446.tif 000009
【図４Ｄ】
2011166446.tif 000010
【図５Ａ】
2011166446.tif 000011
【図５Ｂ】
2011166446.tif 000012
【図５Ｃ】
2011166446.tif 000013
【図５Ｄ】
2011166446.tif 000014
【図６】
2011166446.tif 000015
【図７Ａ】
2011166446.tif 000016
【図７Ｂ】
2011166446.tif 000017
【図７Ｃ】
2011166446.tif 000018
【図７Ｄ】
2011166446.tif 000019
【図７Ｅ】
2011166446.tif 000020
【図７Ｆ】
2011166446.tif 000021
【図８Ａ】
2011166446.tif 000022
【図８Ｂ】
2011166446.tif 000023
【図９】
2011166446.tif 000024
【図１０】
2011166446.tif 000025
【図１１Ａ】
2011166446.tif 000026
【図１１Ｂ】
2011166446.tif 000027
【図１１Ｃ】
2011166446.tif 000028
【図１２】
2011166446.tif 000029
【図１３】
2011166446.tif 000030
【図１４】
2011166446.tif 000031
【図１５Ａ】
2011166446.tif 000032
【図１５Ｂ】
2011166446.tif 000033
【図１６】
2011166446.tif 000034